(57)【要約】【課題】上向きに開口するゴミ投入口を有するゴミ箱に、離れた位置からゴミを投げ入れる場合でも、その投入ミスを招き難いようにする。【解決手段】側壁１３の上端１３ｕの正面における所定位置Ｐ１を起点として、側壁１３の上端１３ｕが、後方に向かうにしたがって連続して傾斜状をなして高位となるように形成した。また、この後方に位置する側壁１３ｂの上端１３ｕ寄り部位であって、正面から目視できるゴミ投入口１５を向く面に、ゴミの投入において的となる目印１８を形成した。側壁１３の後方の上端１３ｕが前方のそれより高位をなすよう形成されているため、前方からのゴミの投入で、ゴミが投入口１５を飛び越すのを防止する効果がある。また、目印１８が形成されている分、その投入時の狙いを定めやすいため、ゴミの投入ミスを減らせる。【選択図】      図１
0003158855.tif 000002
【実用新案登録請求の範囲】
【請求項１】
ゴミ収容部を包囲するように形成された側壁の内側において上向きに開口するゴミ投入口を有するゴミ箱において、
前記側壁のうちの周方向における所定部位を前方とし、この前方に位置する側壁部分の上端の所定位置Ｐ１を起点として、該側壁の上端が、後方に向かうにしたがって連続して又は断続して、傾斜状又は階段状をなして高位となるように形成されており、この後方に位置する側壁の上端寄り部位であって、前方から目視できるゴミ投入口を向く面に、ゴミの投入において的となる目印が形成されていることを特徴とするゴミ箱。
【請求項２】
ゴミ収容部を包囲するように形成された側壁の内側において上向きに開口するゴミ投入口を有するゴミ箱において、
前記側壁のうちの周方向における所定部位を前方とし、この前方に位置する該所定部位を含む周方向に沿う所定範囲の側壁の上端の高さに対し、該所定範囲よりも後方に位置する周方向に沿う所定範囲の側壁の上端の高さが相対的に高位となるように形成されており、この後方に位置する周方向に沿う所定範囲の側壁の上端寄り部位であって、正面から目視できるゴミ投入口を向く面に、ゴミの投入において的となる目印が形成されていることを特徴とするゴミ箱。
【請求項３】
請求項２記載において、後方に位置する周方向に沿う所定範囲の側壁の上端の高さが、前方から見たときの幅方向における中央に向かうにしたがって連続して又は断続して、傾斜状又は階段状をなして高位となるように形成されていることを特徴とするゴミ箱。
【請求項４】
前記側壁が、円筒状、又は上方が下方より大径をなすテーパ状の円筒状に形成されていることを特徴とする請求項１〜３のいずれか１項に記載のゴミ箱。
【考案の詳細な説明】
【技術分野】
【０００１】
本考案は、主として住居、オフィス等の室内で使用されるゴミ箱（ごみ入れ）に関する。
【背景技術】
【０００２】
住居、オフィス等の室内で使用されるゴミ箱としては、従来より各種の形状、構造のものが提案されているが、一般にはコップ形状のように、ゴミ収容部を包囲するように形成された側壁の内側において該内側の上方が上向きに開口するゴミ投入口を備えた、有底の円筒状又は角筒状のものが広く使用されている。このようなゴミ箱のうち、その投入口に蓋（カバー）が付いていない単純構造のものでは、それが配置された状態のままでゴミを入れることができるので、子供から年長者においても使い勝手がよく、広く重宝とされている。ところで、このように上向きに開口するゴミ投入口を備えたゴミ箱は、ゴミ収容部を包囲する側壁（筒状壁）の上端が、通常、周方向において同一高さに形成されている（特許文献１）。
【０００３】
一方、このようなゴミ箱は、住居内では多くは壁際や部屋の隅など、人の邪魔にならない場所に置かれて使用される。このような使用形態において、ゴミ箱まで近いが、それに手が届かない位置にいる人は、ゴミをゴミ箱に入れるのに、その位置から投入することが多い。このような場合において、その位置からゴミ箱までの距離が近ければ、多くは容易にゴミをそのゴミ投入口に投入できる。
【先行技術文献】
【特許文献】
【０００４】
【特許文献１】第３０５９０４９号登録実用新案公報
【考案の概要】
【考案が解決しようとする課題】
【０００５】
しかし、使用者（ゴミの投入者）からゴミ箱までの距離があると、そのゴミ投入口への投入ミスを招きやすく、ゴミは狙い通りにゴミ箱内のゴミ収容部に投入することができないことが多い。これは当然のことでもあるが、ゴミ箱から離れるほどゴミ投入口が小さく見えることに加えて、その投入者からゴミ箱上方の開口であるゴミ投入口を見たときの、その投影面積が斜め上から見ることになることから、小さくなるためである。このため、ゴミは、投げる力が弱ければゴミ箱の手前に落下するし、強ければゴミ投入口の上を飛び越してしまうことになる。
【０００６】
本考案は、こうした問題点に鑑みてなされたものであり、その目的は、上向きに開口するゴミ投入口を有するゴミ箱に、離れた位置からゴミを投げ入れる場合でも、その投入ミスを招き難いようにすることにある。
【課題を解決するための手段】
【０００７】
前記の目的を達成するため、請求項１記載に記載の考案は、ゴミ収容部を包囲するように形成された側壁の内側において上向きに開口するゴミ投入口を有するゴミ箱において、
前記側壁のうちの周方向における所定部位を前方とし、この前方に位置する側壁部分の上端の所定位置Ｐ１を起点として、該側壁の上端が、後方に向かうにしたがって連続して又は断続して、傾斜状又は階段状をなして高位となるように形成されており、この後方に位置する側壁の上端寄り部位であって、前方から目視できるゴミ投入口を向く面に、ゴミの投入において的となる目印が形成されていることを特徴とする。
【０００８】
請求項２記載に記載の考案は、ゴミ収容部を包囲するように形成された側壁の内側において上向きに開口するゴミ投入口を有するゴミ箱において、
前記側壁のうちの周方向における所定部位を前方とし、この前方に位置する該所定部位を含む周方向に沿う所定範囲の側壁の上端の高さに対し、該所定範囲よりも後方に位置する周方向に沿う所定範囲の側壁の上端の高さが相対的に高位となるように形成されており、この後方に位置する周方向に沿う所定範囲の側壁の上端寄り部位であって、正面から目視できるゴミ投入口を向く面に、ゴミの投入において的となる目印が形成されていることを特徴とするゴミ箱である。
【０００９】
請求項３記載に記載の考案は、請求項２記載において、後方に位置する周方向に沿う所定範囲の側壁の上端の高さが、前方から見たときの幅方向における中央に向かうにしたがって連続して又は断続して、傾斜状又は階段状をなして高位となるように形成されていることを特徴とする。
【００１０】
請求項４記載に記載の考案は、前記側壁が、円筒状、又は上方が下方より大径をなすテーパ状の円筒状に形成されていることを特徴とする請求項１〜３のいずれか１項に記載のゴミ箱である。
【考案の効果】
【００１１】
請求項１〜３に記載の本考案では、前記側壁の上端が、周方向に同一高さ（水平）ではなく、後方に位置する側壁（以下、後方側壁ともいう）の上端が、前方に位置する側壁の上端に比べて相対的に高位をなすように形成されている。したがって、使用者から見て、その後方側壁が後方に位置するようにゴミ箱を配置し、離れた位置からゴミをそのゴミ箱の投入口に投入する際においては、後方側壁の上端が相対的に高位をなしているため、その上端寄り部位にてゴミを受け止め易い。すなわち、従来のゴミ箱のように後方側壁の上端が相対的に高位をなしていない場合であれば、ゴミの投入においてその投入口の上を飛び越えるような場合でも、本考案によれば、後方側壁の上端寄り部位にて受け止められるため、投入ミスを低減できる効果がある。しかも、後方側壁の上端寄り部位には、ゴミの投入において的(まと)となる目印が形成されているため、視覚的に狙いを定め易いし、狙いを定めたくなるという面白みをゴミ投入者に与える効果が得られる。したがって、本考案のゴミ箱によれば、ゴミの投入ミスを効果的に減らすことができる。
【００１２】
なお、前記側壁は、ゴミ箱自身を上から見たとき、１つの直角のコーナーを有するように、そのコーナーを挟む２つの平壁部を有しており、前記コーナーをなす側壁が後方に存在するようにしてもよいが、請求項３に記載のように、円筒状又は上方が下方より大径をなすテーパ状の円筒状に形成されているもの（横断面が円形のもの）としてもよい。因みに、１つの直角のコーナーを有するように形成すれば、部屋の隅角にゴミ箱を配置する際において、そのコーナーをその隅角に位置させることで、その配置における納まりを良くできる。
【図面の簡単な説明】
【００１３】
【図１】本考案を具体化したゴミ箱の第１実施形態例を斜め上から見た斜視図。
【図２】図１のゴミ箱を正面（図１の矢印Ｆ）から見た図。
【図３】図２の中央縦断面図。
【図４】本考案を具体化したゴミ箱の第２実施形態例を斜め上から見た斜視図。
【図５】Ａは、図４のゴミ箱を正面（図４の矢印Ｆ）から見た図、ＢはＡの平面図。
【図６】図５−Ａの中央縦断面図。
【図７】本考案を具体化したゴミ箱の第３実施形態例を斜め上から見た斜視図。
【考案を実施するための形態】
【００１４】
本考案のゴミ箱を具体化した第１実施形態例について、図１〜図３に基づいて詳細に説明する。本例のゴミ箱１０は、樹脂製で、底部（底板部）１１が円形で、その周縁から立ち上がる筒状（円筒状）の側壁（筒状壁）１３を有している。そして、このゴミ箱１０は、側壁１３に包囲される空間（ゴミ収容部）上方に、上向きに開口するゴミ投入口１５を有している。側壁１３は、上方が下方より大径をなす円筒状に形成されていてもその逆でもよいが、本例では同径の円筒状とされている。そして、本例では、このゴミ箱１０を立てて正面（図１の矢印Ｆ方向）から見たとき（図２参照）における、側壁１３の前方（正面）であるその周方向における所定部位に位置する側壁部分１３ｆの上端の所定位置Ｐ１を起点として、この側壁１３の上端１３ｕが、該所定位置Ｐ１の両側から後方（本例では、後方中央の側壁１３ｂ）に向かうにしたがって連続して傾斜状をなして高位となるように形成されている。そして、所定位置Ｐ１に対向する後方の側壁１３ｂの中央の上端位置Ｐ２において、側壁１３の上端１３ｕが最高位をなすように形成されている。
【００１５】
すなわち、本形態では、円筒を斜めに１平面でカットしたように、側壁１３の上端１３ｕが形成されている（図３参照）。この結果、上端１３ｕの周方向に沿う形状は楕円形を呈している。このような本形態のゴミ箱１０では、側壁１３の上端１３ｕが一番低位をなす所定位置Ｐ１を手前として、ゴミ箱１０を正面視したとき（図２参照）、後方に位置する側壁１３ｂの上端１３ｕ寄り部位であって、正面から目視できるゴミ投入口１５を向く面に、ゴミの投入において的（まと）、すなわち目標となる目印（本例では、二重丸の図柄）１８が印刷又は貼付シール等により形成されている。すなわち、後方中央に位置する側壁１３ｂの上端１３ｕ寄り部位であって、正面から目視できるゴミ投入口１５を向く面の幅方向の中央に、目印（二重丸の図柄）１８が印刷等により形成されている。なお、この目印１８を形成する高さ等の位置は、正面から目視できる範囲で適宜に変更すればよい。
【００１６】
このような本形態では、所定位置Ｐ１を手前として、ゴミ投入者が、ゴミ箱１０を正面斜め上から見たとき、その側壁１３の上端１３ｕに包囲されるゴミ投入口１５は、その周方向に沿う上端１３ｕが、従来のように同一高さで形成されている場合に比べると、その開口投影面積は大きく見える。そして、後方に位置する側壁１３の上端１３ｕ寄り部位のうちのゴミ投入口１５を向く面は、ゴミ投入時の当て板（バックボード）の作用を果たすことができる。したがって、このような本形態では、ゴミ投入口１５の上端１３ｕが従来のように同一高さで形成されているゴミ箱にゴミを投入する場合に比べると、ゴミ投入における投入成功率を高めることができる。すなわち、使用者（ゴミ投入者）が、ゴミをゴミ箱１０から離れた位置から、ゴミ箱１０のゴミ投入口１５に投入するときは、後方の側壁１３に、前方の側壁１３の上端１３ｕより上方に突出して高位をなす部分があるため、従来のように、それがないために後ろに流れてゴミ投入口を飛び越して投入ミスを招いていたような場合でも、その高位をなす部分のゴミ投入口１５を向く面にてゴミを受け止めることができるから、ゴミ投入口１５への投入成功率が高められる。
【００１７】
しかも、後方の側壁１３の上端１３ｕ寄り部位には、ゴミの投入において的となる目印１８が形成されている。このため、ゴミ投入者は、その目印１８である二重丸に狙いを定めてゴミを投げ入れることができるため、慎重に狙いを定めることができる。しかも、このように目印１８を形成していることから、使用者には、狙いを定めたくなるという面白みを与える効果が得られる。本形態では、このような結果としてゴミの投入ミスを一層減らすことができる。なお、このような目印１８は、本例では、二重丸とされているが、例えば、野球で使用されるキャッチャミットの図柄とするなど、使用者の好みや使用者層に応じて適宜に設定すればよい。なお、このような目印１８は、シートに目印を印刷等して形成しておくとともに、その裏面に粘着材層を形成しておき、別途、貼り付ける（接着する）ことで形成してもよい。
【００１８】
なお、このようなゴミ箱１０の使用に際しては、ゴミの収容、廃棄を容易とするため、ゴミ箱１０内に、図示はしないが、ゴミ袋をゴミ箱１０の内面に沿う形で配置すると共に、そのゴミ袋の開口側をゴミ箱１０の投入口１５側、すなわち、その上端１３ｕにおいて周方向に沿って取り付けておくことが行われる。このような場合でも、それを通常の透明の樹脂フィルムからなるゴミ袋とすることで、目印１８の視認性が確保されるから、本考案の効果は損なわれない。なお、図示はしないが、本考案のゴミ箱１０では、側壁１３の上端１３ｕに、周方向に間隔をおいて複数の切込みを形成しておくとよい。というのは、このようにしておけば、ゴミ袋の開口側の端寄り部位を、その各切り込みに挟み込ませて、該ゴミ袋をゴミ箱１０の内部に配置させることができるため、その取り付けが容易にできるためである。
【００１９】
なお、本形態では、前記側壁１３の上端１３ｕが、後方に向かうにしたがって連続して傾斜状をなして高位となるように形成されている場合を示したが、側壁１３の上端１３ｕが、正面中央の所定位置Ｐ１から、後方の上端位置Ｐ２に向かうにしたがって断続して（不連続で）傾斜状をなして高位となるように形成されていてもよい。また、そのいずれにおいても、階段状をなして高位となるように形成されているものとしてもよい。本考案では、側壁１３の上端１３ｕが、後方に向かうにしたがって前方より高位となるように形成されていれば、ゴミ投入において、それを受け止めることができるためである。
【００２０】
さて、次に第２実施形態例のゴミ箱２０について、図４〜図６に基づいて説明する。ただし、このものは、前記形態のゴミ箱１０と、側壁１３の上端１３ｕの形状、構造が相違するのみで、基本的に共通する。したがって、同一の部位については同一の符号を付し、適宜、その説明を省略し、相違点のみ説明する。以下、他の例でも同様とする。
【００２１】
すなわち、上記第１実施形態例では、ゴミ箱１０の側壁１３の上端１３ｕを斜めに１平面でカットしたように形成したが、本例では、側壁１３のうちの周方向における所定部位（図５−Ｂの下半分の１／２円弧部位）を前方とし、この前方に位置する該所定部位を含む周方向に沿う所定範囲の側壁１３の上端１３ｕの高さに対し、該所定範囲よりも後方に位置する周方向に沿う所定範囲（図５−Ｂの上半分の１／２円弧部位）の側壁１３の上端１３ｕの高さが相対的に高位となるように形成したものである。すなわち、図５−Ｂの下半分の１／２円弧部位である前方の側壁１３の部位の上端１３ｕの高さを一定高さに保持する一方、図５−Ｂの上半分の１／２円弧部位である後方の側壁１３の部位の上端１３ｕの高さを、それより高位にしている。
【００２２】
ただし、この後方に位置する周方向に沿う所定範囲の側壁１３の上端１３ｕの高さは、前方から見たときの幅方向における中央に向かうにしたがって連続して傾斜状をなして高位となるように形成されている（図４、図６参照）。そして、この後方に位置する周方向に沿う所定範囲（図５−Ｂの上半分の１／２円弧部位）の側壁１３の上端寄り部位であって、正面から目視できるゴミ投入口を向く面に、ゴミの投入において的となる目印１８を形成している。このような本形態でも上記形態と同様の効果が得られるが、本形態では、その側壁１３の上端１３ｕの形状、構造に基づき、側壁１３の前後関係が明確となるため、ゴミ箱２０の使用者から見たその配置における前後の設定が容易となる。なお、本例では、後方に位置する周方向に沿う所定範囲の側壁１３の上端１３ｕの高さが、前方から見たときの幅方向における中央に向かうにしたがって連続して傾斜状をなして高位となるようにしたが、断続して傾斜状をなして高位となるようにしてもよいし、いずれにおいても、階段状で高位となるように形成してもよい。
【００２３】
さて、次に、第３実施形態例について、図７に基づいて説明するが、このゴミ箱３０は、上記第２実施形態の変形とでもいうべきものであり、後方の側壁１３の上端１３ｕを、前方の側壁１３の上端１３ｕより高位とするのに、後方の側壁１３の上端１３ｕを、周方向に沿う所定範囲（例えば、上から見て、１／２円弧に対応する範囲）にわたり、同一高さで高位となるように形成したものである。このように本形態では、後方をなす側壁１３の上端１３ｕが、１／２円弧に対応する範囲の略全体にわたって前方のそれより高位をなしている。したがって、一層、ゴミの投入成功率を高められる。なお、後方をなす側壁１３の上端１３ｕを、前方のそれより高位とする程度、すなわち、前後の側壁１３の高さの差や、周方向の範囲は、ゴミ箱の形状や大きさ等に応じて適宜に設定すればよい。
【００２４】
本考案は、以上説明した内容のものに限定されるものではなく、適宜に、変更して具体化できる。例えば、４角筒状などの、多角形の筒状や、楕円の筒状のものとしても具体化できる。なお、このような場合でも、上方が下方より大径をなし、複数のゴミ箱を重ねて収容できるように形成しておくのが、整理も容易となり好ましい。
【符号の説明】
【００２５】
１０，２０，３０  ゴミ箱
１３  側壁
１３ｆ  側壁の周方向における所定部位である前方
１３ｕ  側壁の上端
１５  ゴミ投入口
１８  ゴミの投入において的となる目印
Ｐ１  所定位置
【図１】
0003158855.tif 000003
【図２】
0003158855.tif 000004
【図３】
0003158855.tif 000005
【図４】
0003158855.tif 000006
【図５】
0003158855.tif 000007
【図６】
0003158855.tif 000008
【図７】
0003158855.tif 000009
【手続補正書】
【提出日】平成22年2月10日(2010.2.10)
【手続補正１】
【補正対象書類名】明細書
【補正対象項目名】０００７
【補正方法】変更
【補正の内容】
【０００７】
前記の目的を達成するため、請求項１に記載の考案は、ゴミ収容部を包囲するように形成された側壁の内側において上向きに開口するゴミ投入口を有するゴミ箱において、
前記側壁のうちの周方向における所定部位を前方とし、この前方に位置する側壁部分の上端の所定位置Ｐ１を起点として、該側壁の上端が、後方に向かうにしたがって連続して又は断続して、傾斜状又は階段状をなして高位となるように形成されており、この後方に位置する側壁の上端寄り部位であって、前方から目視できるゴミ投入口を向く面に、ゴミの投入において的となる目印が形成されていることを特徴とする。
【手続補正２】
【補正対象書類名】明細書
【補正対象項目名】０００８
【補正方法】変更
【補正の内容】
【０００８】
請求項２に記載の考案は、ゴミ収容部を包囲するように形成された側壁の内側において上向きに開口するゴミ投入口を有するゴミ箱において、
前記側壁のうちの周方向における所定部位を前方とし、この前方に位置する該所定部位を含む周方向に沿う所定範囲の側壁の上端の高さに対し、該所定範囲よりも後方に位置する周方向に沿う所定範囲の側壁の上端の高さが相対的に高位となるように形成されており、この後方に位置する周方向に沿う所定範囲の側壁の上端寄り部位であって、正面から目視できるゴミ投入口を向く面に、ゴミの投入において的となる目印が形成されていることを特徴とするゴミ箱である。
【手続補正３】
【補正対象書類名】明細書
【補正対象項目名】０００９
【補正方法】変更
【補正の内容】
【０００９】
請求項３に記載の考案は、後方に位置する周方向に沿う所定範囲の側壁の上端の高さが、前方から見たときの幅方向における中央に向かうにしたがって連続して又は断続して、傾斜状又は階段状をなして高位となるように形成されていることを特徴とする請求項２に記載のゴミ箱である。
【手続補正４】
【補正対象書類名】明細書
【補正対象項目名】００１０
【補正方法】変更
【補正の内容】
【００１０】
請求項４に記載の考案は、前記側壁が、円筒状、又は上方が下方より大径をなすテーパ状の円筒状に形成されていることを特徴とする請求項１〜３のいずれか１項に記載のゴミ箱である。
【手続補正５】
【補正対象書類名】実用新案登録請求の範囲
【補正対象項目名】請求項３
【補正方法】変更
【補正の内容】
【請求項３】
後方に位置する周方向に沿う所定範囲の側壁の上端の高さが、前方から見たときの幅方向における中央に向かうにしたがって連続して又は断続して、傾斜状又は階段状をなして高位となるように形成されていることを特徴とする請求項２に記載のゴミ箱。